【手続補正書】
【提出日】平成18年8月25日(2006.8.25)
【手続補正１】
【補正対象書類名】明細書
【補正対象項目名】特許請求の範囲
【補正方法】変更
【補正の内容】
【特許請求の範囲】
【請求項１】  包装材料で荷物を包装する方法であって、
回転可能な回転台に取り付けられて前記回転可能な回転台によっていずれの電気又は流体動力源からも切り離された包装材料保持器によって前記包装材料の先端部を把持する段階と、
包装材料分配器から前記包装材料を分配して前記荷物の側面回りを前記包装材料で包装するために前記回転台を回転させる段階と、
前記包装材料保持器から前記包装材料の先端部を自動的に開放する段階と、
前記包装材料の先端部の上流位置で前記包装材料保持器によって前記包装材料の後端部を自動的に把持する段階とを有する包装材料で荷物を包装する方法。
【請求項２】  回転可能な前記回転台から離間して位置する作動器によって前記包装材料保持器を係合作動する段階を有する請求項１に記載の方法。
【請求項３】  自動的に開放する段階は、前記包装材料保持器から前記包装材料を開放するために前記回転台の動作を使用する段階を有する請求項１に記載の方法。
【請求項４】  前記包装材料保持器は顎部を有し、自動的に開放する段階は、前記包装材料を開放するために前記顎部を開くように前記回転台に関して前記顎部を移動させる段階を有する請求項１に記載の方法。
【請求項５】  前記包装材料を自動的に切断する段階を有する請求項１に記載の方法。
【請求項６】  包装材料で荷物を自動的に包装する方法であって、
包装材料分配器から前記包装材料を自動的に分配し、前記荷物の側面回りを前記包装材料で包装するために前記包装材料分配器と前記荷物との間の相対回転を自動的にもたらす段階と、
包装材料保持器において前記包装材料の一部を自動的に把持する段階と、
前記荷物と前記包装材料分配器との間で前記包装材料を自動的に弱める段階と、
前記包装材料保持器が前記包装材料分配器へ向けて前記包装材料と共に移動することを可能として前記包装材料分配器と前記荷物との間で前記包装材料を引っ張ることによって弱められた部分で前記包装材料を自動的に切断する段階とを有する包装材料で荷物を自動的に包装する方法。
【請求項７】  相対回転をもたらす段階は、回転台上に取り付けられた前記包装材料保持器を有する前記回転台を回転する段階を有する請求項６に記載の方法。
【請求項８】  前記包装材料保持器は回転台上に取り付けられ、前記包装材料保持器の顎部は、前記回転台によって隔離された動力源によって自動的に開閉する請求項６に記載の方法。
【請求項９】  前記包装材料を弱める以前に前記包装材料保持器を下流側へ移動させ、前記包装材料保持器を上流側へ移動させて前記包装材料を弱める段階を有する請求項６に記載の方法。
【請求項１０】  前記包装材料保持器は、前記包装材料を自動的に開放及び把持するために下流側へ移動し、前記包装材料保持器は、前記包装材料を切断するために上流側へ移動する請求項６に記載の方法。
【請求項１１】  包装材料で荷物を包装する装置であって、
前記包装材料を分配するための包装材料分配器と、
前記荷物回りを前記包装材料で包装するために前記包装材料分配器と前記荷物との間の相対回転をもたらすための回転可能な回転台と、
前記包装材料の一部を自動的に把持及び開放するために、回転可能な前記回転台に取り付けられ、回転可能な前記回転台によっていずれの電気又は流体動力源からも切り離された包装材料保持器とを具備する方法材料で荷物を包装する装置。
【請求項１２】  前記包装材料保持器を係合作動するために、回転可能な前記回転台から離間して設置された作動器を具備する請求項１１に記載の装置。
【請求項１３】  前記包装材料保持器は、前記回転台の通路に沿って移動するように取り付けられ、前記包装材料が、前記通路における上流側方向へ前記包装材料保持器を引っ張ることを可能とする請求項１１に記載の装置。
【請求項１４】  前記包装材料を弱めるための弱め器を有する請求項１１に記載の装置。
【請求項１５】  前記包装材料のロープ部を形成して、開いている前記包装材料保持器へ前記ロープ部を向けるための手段を有する請求項１１に記載の装置。
【請求項１６】  包装材料で荷物を包装する装置であって、
前記包装材料を分配する包装材料分配器と、
前記荷物の回りを前記包装材料で包装するために前記包装材料分配器と前記荷物との間の相対回転をもたらすための手段と、
前記包装材料を自動的に把持及び開放するための包装材料保持器とを具備し、
前記包装材料保持器は、前記包装材料保持器と前記荷物との間において前記包装材料の弱められた部分で切断することを可能とするように、前記包装材料保持器によって前記包装材料に発生する力に応じて前記包装材料と共に上流側へ移動するように取り付けられている包装材料で荷物を包装する装置。
【請求項１７】  前記包装材料保持器は、前記包装材料保持器が上流側へ移動する時に、弱められた前記包装材料を切断する請求項１６に記載の装置。
【請求項１８】  前記包装材料保持器は回転可能な回転台上に取り付けられ、前記包装材料保持器は回転可能な前記回転台によっていずれの電気又は流体動力源からも切り離されている請求項１６に記載の装置。
【請求項１９】  前記包装材料保持器は、下流側へ移動可能であり、包装材料弱め器を有し、前記包装材料弱め器は、前記包装材料保持器が下流側へ移動する時に作動する請求項１６に記載の装置。
【請求項２０】  前記包装材料保持器から前記包装材料の先端部を自動的に開放するために前記包装材料保持器を下流側へ移動するための手段を有する請求項１６に記載の装置。
【請求項２１】  前記包装材料保持器から前記包装材料の先端部を自動的に開放するために前記包装材料保持器を下流側へ移動するための手段を有し、前記包装材料を下流側へ移動するための前記手段は、前記相対回転を引き起こす動力源から切り離されている請求項１６に記載の装置。
【請求項２２】  前記包装材料保持器から前記包装材料の後端部を自動的に把持するために前記包装材料保持器を下流側へ移動するための手段を有し、前記包装材料を下流側へ移動するための前記手段は、前記相対回転を引き起こす動力源から切り離されている請求項１６に記載の装置。
【請求項２３】  包装材料で荷物を包装する方法であって、
回転台組立体の回転可能な回転台に取り付けられて前記回転可能な回転台によっていずれの電気又は流体動力源からも切り離された包装材料保持器によって前記包装材料の先端部を把持する段階と、
包装材料分配器から前記包装材料を分配して前記荷物の側面回りを前記包装材料で包装するために前記回転台を回転させる段階と、
作動器に関して回転可能な前記回転台を回転させることにより前記包装材料保持器を作動する段階と、
前記包装材料保持器から前記包装材料の先端部を自動的に開放する段階と、
前記包装材料の先端部の上流位置で前記包装材料保持器によって前記包装材料の後端部を自動的に把持する段階とを有する包装材料で荷物を包装する方法。
【請求項２４】  前記自動的に把持する段階は、顎部によって前記包装材料を把持する段階を有する請求項２３に記載の方法。
【請求項２５】  包装材料で荷物を包装する装置であって、
前記包装材料を分配するための包装材料分配器と、
前記荷物回りを前記包装材料で包装するために前記包装材料分配器と前記荷物との間の相対回転をもたらすための回転可能な回転台を有する回転台組立体と、
作動器であって、前記作動器に関しての回転可能な前記回転台の回転により作動可能とされ、回転可能な前記回転台と共に回転しない作動器と、
前記包装材料の一部を自動的に把持及び開放するために、回転可能な前記回転台に取り付けられ、回転可能な前記回転台によっていずれの電気又は流体動力源からも切り離された包装材料保持器とを具備する包装材料で荷物を包装する装置。
【請求項２６】  前記作動器は前記回転台組立体の非回転部を有する請求項２５に記載の装置。
【請求項２７】  包装材料で荷物を包装する方法であって、回転台組立体の回転可能な回転台に取り付けられて前記回転可能な回転台によっていずれの電気又は流体動力源からも切り離された包装材料保持器によって前記包装材料の先端部を自動的に把持する段階と、前記荷物の側面回りを前記包装材料で包装するために前記回転台を回転させる段階であって、前記包装材料保持器が前記回転台の少なくとも完全な一回転に渡り前記包装材料の先端部を保持し続ける前記回転台を回転させる段階と、前記包装材料保持器から前記包装材料の先端部を自動的に開放する段階とを有する包装材料で荷物を包装する方法。
【請求項２８】  前記包装材料の先端部を自動的に開放する段階は、作動器に選択的に係合する段階を有する請求項２７に記載の方法。
【請求項２９】  前記作動器に選択的に係合する段階は、前記包装材料保持器の一部により前記作動器に係合する段階を有する請求項２８に記載の方法。
【請求項３０】  前記自動的に開放する段階は、前記包装材料保持器から前記包装材料を開放するために前記回転台の動作を使用する段階を有する請求項２７に記載の方法。
【請求項３１】  包装材料で荷物を包装する方法であって、回転可能な回転台に取り付けられて前記回転可能な回転台によっていずれの電気又は流体動力源からも切り離された包装材料保持器によって前記包装材料の帯を自動的に把持する段階と、前記荷物の側面回りを前記包装材料の帯で包装するために包装材料分配器から前記包装材料の帯を分配して前記回転台を回転させる段階と、前記包装材料の少なくとも一層により前記荷物の各側面を包装した後に前記包装材料保持器から前記包装材料の帯を自動的に開放する段階とを有する包装材料で荷物を包装する方法。
【請求項３２】  前記包装材料の帯を自動的に開放する段階に続いて前記包装材料保持器により前記包装材料の帯を自動的に把持する段階をさらに有する請求項３１に記載の方法。
【請求項３３】  前記包装材料の帯を自動的に開放する段階は、作動器に選択的に係合する段階を有する請求項３１に記載の方法。
【請求項３４】  前記作動器に選択的に係合する段階は、前記包装材料保持器の一部により前記作動器に係合する段階を有する請求項３３に記載の方法。
【請求項３５】  包装材料で荷物を包装する方法であって、回転可能な回転台に取り付けられて前記回転可能な回転台によっていずれの電気又は流体動力源からも切り離された包装材料保持器によって前記包装材料の先端部を自動的に把持する段階と、前記荷物の側面回りを前記包装材料で包装するために包装材料分配器から前記包装材料を分配して前記回転台を回転させる段階と、前記包装材料保持器から前記包装材料の先端部を自動的に開放する段階と、前記包装材料分配器と前記荷物との間の予め定められた位置において前記包装材料の後端部を自動的に把持する段階とを有する包装材料で荷物を包装する方法。
【請求項３６】  包装材料で荷物を包装する方法であって、
回転可能な回転台に取り付けられて前記回転可能な回転台によっていずれの電気又は流体動力源からも切り離された包装材料保持器によって前記包装材料の帯の先端部を把持する段階と、
前記荷物の側面回りを前記包装材料で包装するために包装材料分配器から前記包装材料を分配して前記回転台を回転させる段階と、
前記包装材料保持器から前記包装材料の先端部を自動的に開放する段階と、
前記包装材料の帯の一部を少なくとも部分的につぶす段階と、
前記包装材料の先端部の上流位置において前記包装材料保持器により少なくとも部分的につぶされた前記包装材料の後端部を自動的に把持する段階とを有する包装材料で荷物を包装する方法。
【請求項３７】  回転可能な前記回転台から離間して設置された作動器により前記包装材料保持器を係合作動する段階をさらに有する請求項３６に記載の方法。
【請求項３８】  前記包装材料保持器は顎部を有し、前記自動的に把持する段階は、前記包装材料を把持するために前記顎部を閉じるように前記回転台に関して前記顎部を移動する段階を有する請求項３６に記載の方法。
【請求項３９】  前記包装材料の帯の一部を少なくとも部分的につぶす段階は、前記包装材料を自動的に把持する以前に前記包装材料をロープ部とする段階を有する請求項３６に記載の方法。
【請求項４０】  包装材料で荷物を包装する装置であって、
包装材料を分配する包装材料分配器と、
前記荷物の回りを前記包装材料で包装するために前記包装材料分配器と前記荷物との間の相対回転を提供するように回転可能な回転台と、
回転可能な前記回転台に取り付けられ、回転可能な前記回転台によっていずれの電気又は流体動力源からも切り離され、前記包装材料の一部を自動的に把持及び開放するための包装材料保持器と、
前記包装材料保持器により把持される前記包装材料の帯の少なくとも一部をつぶすための手段とを具備する包装材料で荷物を包装する装置。